(57)【特許請求の範囲】
【請求項１】
所定の提供主体が提供する物品及び／又はサービスの購買代金をカード決済することで得られるベネフィットが複数連係される代金決済用のカードを複数リンクさせ，リンク相手のカードに連係された前記ベネフィットのうちの必要なベネフィットを，相互に自己のカードに連係させて使用できるようにするために，
カードベネフィットの提供サーバーが，第１カード所持者の端末機から第２カードと連係されたベネフィットの中から選択されたベネフィットの使用要請を受信する段階；及び，
前記第２カード所持者が，前記第１カード所持者によって選択された前記ベネフィットの使用要請に同意した場合，前記カードベネフィットの提供サーバーが，前記第２カードと連係されたベネフィットのうち前記第１カード所持者によって選択された前記ベネフィットを，前記第１カードに連係して使用できるように処理する段階を含むカードベネフィットの提供方法。
【請求項２】
前記カードベネフィットの提供方法は，前記カードベネフィットの提供サーバーが，前記ベネフィットの使用要請に対して前記第２カード所持者の端末機に同意の可否を求める内容を転送する段階；及び，
前記カードベネフィットの提供サーバーが，前記第２カード所持者の同意の可否に対する回答を，前記第２カード所持者の端末機から受信する段階をさらに含むことを特徴とする請求項１記載のカードベネフィットの提供方法。
【請求項３】
前記第２カードと連係されたベネフィットは，前記カードベネフィットの提供サーバーが要求する特定の条件を満たす場合にのみ前記第１カードに連係して使用できるように処理されることを特徴とする請求項１記載のカードベネフィットの提供方法。
【請求項４】
前記第２カードと連係されたベネフィットは，有効期間が定められることを特徴とする請求項１記載のカードベネフィットの提供方法。
【請求項５】
前記カードベネフィットの提供方法は，前記第２カードと連係されたベネフィットを，前記第１カードに連係して使用できるように処理した場合，前記カードベネフィットの提供サーバーが，前記ベネフィットを，前記第２カードから消滅させる段階をさらに含むことを特徴とする請求項１記載のカードベネフィットの提供方法。
【請求項６】
前記カードベネフィットの提供方法は，前記第２カードと連係されたベネフィットを，前記第１カードに連係して使用できるように処理した場合，前記カードベネフィットの提供サーバーが，前記第１カード所持者の端末機及び前記第２カード所持者の端末機の少なくとも一つ以上に，前記処理情報を転送する段階をさらに含むことを特徴とする請求項１記載のカードベネフィットの提供方法。
【請求項７】
前記カードベネフィットの提供方法は，前記カードベネフィットの提供サーバーが，前記第１カードと前記第２カードとの間に，前記第１カード所持者が前記第２カードと連係されたベネフィットを使用できるようにする契約が成立しているか否かを確認する段階をさらに含むことを特徴とする請求項１記載のカードベネフィットの提供方法。
【請求項８】
所定の提供主体が提供する物品及び／又はサービスの購買代金をカード決済することで得られるベネフィットが複数連係される代金決済用のカードを複数リンクさせ，リンク相手のカードに連係された前記ベネフィットのうちの必要なベネフィットを，相互に自己のカードに連係させて使用できるようにするためのサーバーであって，
リンクされた第１カード及び第２カードのカード情報を保存するデータベース；
前記第１カード所持者の端末機から前記第２カードと連係されたベネフィットの中から選択されたベネフィットの使用要請を受信する受信部；
前記第１カード所持者の端末機及び前記第２カード所持者の端末機に情報を転送できる転送部；及び，
前記第２カード所持者が，前記第１カード所持者によって選択された前記ベネフィットの使用要請に同意した場合，前記第２カードと連係されたベネフィットのうち前記第１カード所持者によって選択された前記ベネフィットを，前記第１カードに連係して使用できるように処理し，前記データベース，前記受信部及び前記転送部を制御する制御部を含むことを特徴とするカードベネフィットの提供サーバー。
【請求項９】
前記転送部は，前記ベネフィットの使用要請に対して前記第２カード所持者の端末機に同意の可否を求める内容を転送することを特徴とし，前記受信部は，前記第２カード所持者の同意の可否に対する回答を前記第２カード所持者の端末機から受信できることを特徴とする請求項８記載のカードベネフィットの提供サーバー。 
【請求項１０】
前記第２カードと連係されたベネフィットは，特定の条件を満たす場合にのみ前記第１カードに連係して使用できるように処理されることを特徴とする請求項８記載のカードベネフィットの提供サーバー。 
【請求項１１】
前記第２カードと連係されたベネフィットは，有効期間が定められることを特徴とする請求項８記載のカードベネフィットの提供サーバー。 
【請求項１２】
前記制御部は，前記第２カードと連係されたベネフィットを，前記第１カードに連係して使用できるように処理した場合，前記ベネフィットを，前記第２カードから消滅させることができるように制御することを特徴とする請求項８記載のカードベネフィットの提供サーバー。 
【請求項１３】
前記転送部は，前記第２カードと連係されたベネフィットを，前記第１カードに連係して使用できるように処理した場合，前記第１カード所持者の端末機及び前記第２カード所持者の端末機の少なくとも一つ以上に，前記処理情報を転送できることを特徴とする請求項８記載のカードベネフィットの提供サーバー。 
【請求項１４】
前記制御部は，前記第１カードと前記第２カードとの間に，前記第１カード所持者が前記第２カードと連係されたベネフィットを使用できるようにする契約が成立しているか否かを確認できることを特徴とする請求項８記載のカードベネフィットの提供サーバー。 
【発明の詳細な説明】
【技術分野】
【０００１】
本発明は，他人のカードベネフィットを使用しようとする一方のカード所持者が相手方のカードベネフィットに対する使用を要請し，相手方の同意がある場合，相手方のカードベネフィットを自分のカードに連係して使用できるようにする，カードベネフィットの提供方法及びカードベネフィットの提供サーバーに関する。
【背景技術】
【０００２】
従来から，顧客が物品などを購買するにあたって，決済手段として現金を利用することが一般的である。しかし，現在の顧客は，現金保有に対するリスク負担がなく，携帯の簡便なクレジットカード，デビットカードなどを利用して決済する場合が多い。特に，勤め人の場合，所得控除を受けるために，クレジットカードなどを使用する頻度が急増している。
【０００３】
そこで，クレジットカード会社は顧客を加入させるために激しい競争をしている。顧客を加入させるためのマーケティング方法の一つとして，カード会社はクレジットカードなどと連係されたベネフィットの提供を強化している。ところが，顧客は多様なカードベネフィットの内容を全部把握し難く，一般的に使用されるカードベネフィットも限定的であるしかないという問題がある。
【０００４】
従って，クレジットカード会社は競争力を強化するために，顧客の必要とするカードベネフィットを提供する必要があり，顧客が頻繁に使用しないカードベネフィットに対する対策を設けることも急を要しているところである。
【発明の概要】
【発明が解決しようとする課題】
【０００５】
本発明の目的は，カード所持者間に，互いに必要な相手方のカードベネフィットに対して，自分のカードに連係して使用できるようにすることで，顧客がカードベネフィットを実質的に活用できるようにするためのカードベネフィットの提供方法及びカードベネフィットの提供サーバーを提供することにある。
【課題を解決するための手段】
【０００６】
前記目的を達成するために，本発明は，所定の提供主体が提供する物品及び／又はサービスの購買代金をカード決済することで得られるベネフィットが複数連係される代金決済用のカードを複数リンクさせ，リンク相手のカードに連係された前記ベネフィットのうちの必要なベネフィットを，相互に自己のカードに連係させて使用できるようにするために，カードベネフィットの提供サーバーが，第１カード所持者の端末機から第２カードと連係されたベネフィットの中から選択されたベネフィットの使用要請を受信する段階；前記第２カード所持者が，前記第１カード所持者によって選択された前記ベネフィットの使用要請に同意した場合，前記カードベネフィットの提供サーバーが，前記第２カードと連係されたベネフィットのうち前記第１カード所持者によって選択された前記ベネフィットを，前記第１カードに連係して使用できるように処理する段階を含む，カードベネフィットの提供方法を提供する。
【０００７】
前記目的を達成するために，本発明は，所定の提供主体が提供する物品及び／又はサービスの購買代金をカード決済することで得られるベネフィットが複数連係される代金決済用のカードを複数リンクさせ，リンク相手のカードに連係された前記ベネフィットのうちの必要なベネフィットを，相互に自己のカードに連係させて使用できるようにするためのサーバーであって，リンクされた第１カード及び第２カードのカード情報を保存するデータベース；前記第１カード所持者の端末機から前記第２カードと連係されたベネフィットの中から選択されたベネフィットの使用要請を受信する受信部；前記第１カード所持者の端末機及び前記第２カード所持者の端末機に情報を転送できる転送部；前記第２カード所持者が，前記第１カード所持者によって選択された前記ベネフィットの使用要請に同意した場合，前記第２カードと連係されたベネフィットのうち前記第１カード所持者によって選択された前記ベネフィットを，前記第１カードに連係して使用できるように処理し，前記データベース，前記転送部及び前記受信部を制御する制御部を含むことを特徴とするカードベネフィットの提供サーバーを提供する。
【発明の効果】
【０００８】
本発明の一実施例によると，一方のカード所持者は，相手方のカード所持者の持っているカードベネフィットに対して相手方の同意がある場合，自分のカードに連係して前記ベネフィットを使用することができる。従って，カード所持者は頻繁に使用して不足になる特定のベネフィットが，相手方のカードから補充されて使用できるようになる。また，カード所持者は頻繁に使用せずに残ることなる特定のベネフィットを他のカード所持者に提供することもできる。すなわち，本発明の一実施例は，カードの特定のベネフィットのみを主に使用するカード所持者等に非常に有益であると言える。
【０００９】
また，カード所持者間のカードベネフィットの交流によって，カードベネフィットの使用の活性化を期待できる。
【図面の簡単な説明】
【００１０】
【図１】本発明の一実施例と関連するカードベネフィットの提供方法を説明するための概念図である。
【図２】本発明の一実施例と関連するカードベネフィットの提供サーバーのブロック構成図である。
【図３】本発明の一実施例と関連するリンク(連結)契約の締結過程を説明するためのフローチャートである。
【図４】本発明の一実施例と関連するカードベネフィットの提供方法を示すフローチャートである。
【図５】図４の特定段階の一例を示す図面である。
【発明を実施するための最良の形態】
【００１１】
以下，添付された図面を参照して，本発明の一実施例と関連するカードベネフィットの提供方法及びカードベネフィットの提供サーバーについて詳細に説明する。まず，本明細書で使用される用語について簡略に説明し，本発明について具体的に説明する。
【００１２】
本発明で使用される用語は，本発明での機能を考慮しつつ，できるだけ現在広く使用されている一般的な用語を採択しているが，これは当分野に従事している技術者の意図又は判例，新しい技術の出現などにより変わり得る。また，特定の場合は，出願人が任意で選定した用語もあり，この場合に該当する場合，発明の説明部分で詳細にその意味を記載する。従って，本発明で使用される用語は，単純な用語の名称ではなく，その用語の有する意味と本発明の全般にわたる内容に基づき定義されなければならない。
【００１３】
本明細書の全体においてカードとは，物品又はサービスを購買するにあたって，決済手段として利用されるものを意味する。前記カードには，例えばクレジットカード，デビットカード，プリペイドカード，スマートカードなどがあり，従来のプラスチックカードだけでなくモバイルカードも含まれる。モバイルカードとは，有形カード(例:プラスチックカード)ではなく，移動端末機にソフトウェアの形で具現されるカードのことをいう。前記モバイルカードは，無線ネットワークを通じて発給される。
【００１４】
本明細書において，カードと連係されたベネフィット(カードベネフィット)とは，前記カードを発給されて使用することで得られる映画割引，外食割引，ショッピング割引，テーマパーク割引，旅行割引，マイレージ積立などの多様なベネフィットを意味する。詳しい説明は，図５を参照して後述する。
【００１５】
図１は，本発明の一実施例と関連するカードベネフィットの提供方法を説明するための概念図である。
【００１６】
図１に示されたように，本発明の一実施例によると，第１カード(１００)と第２カード(２００)は，リンク(連結)契約が締結されることもある。
【００１７】
リンク(連結)契約とは，カード所持者間に，同意や合意がある場合，相手方のカードベネフィットを自分のカードに連係して使用できるようにする内容の契約を意味する。前記リンク契約は，カード番号の異なる複数枚のカード間に締結できる。前記リンク契約は，多数の当事者間に成立してもよく，同一当事者間に成立してもよい。前記リンク(契約)契約を締結する過程については，図３を参照し，詳しい内容は後述する。
【００１８】
前記第１カード(１００)とは，前記第２カード(２００)とリンク(連結)契約が締結されているカードであって，前記第２カード(２００)に対してカードベネフィットの使用を申請する申請人が所持しているカードを意味する。
【００１９】
前記第２カード(２００)とは，前記第１カード(１００)とリンク(連結)契約が締結されているカードであって，前記第１カード(１００)所持者のカードベネフィットの使用申請に対して許諾の可否を決定することができる相手方の所持しているカードを意味する。前記第１カード(１００)は，複数のカードとリンク(連結)契約を締結することができるため，前記第２カード(２００)は複数枚が存在し得る。この場合，同一人が複数枚の第２カード(２００)を所持してもよい。
【００２０】
第１端末機(４００)とは，前記第１カード(１００)所持者の端末機を意味する。第２端末機(５００)とは，前記第２カード(２００)所持者の端末機を意味する。前記端末機は，固定端末機だけでなく移動端末機も含まれる。前記固定端末機には，デスクトップコンピュータ(desktop computer)がある。
【００２１】
前記移動端末機は，多様な形で具現できる。例えば，本明細書にて記述される移動端末機は，携帯電話，スマートフォン(smart phone)，ノートブックコンピュータ(notebook computer)，デジタル放送用端末機，ＰＤＡ(Personal Digital Assistants)，ＰＭＰ(Portable Multimedia Player)，ナビゲーション，e-book端末機，テンプレートＰＣなどがある。
【００２２】
本発明の一実施例において，前記第１端末機(４００)と前記第２端末機(５００)はいずれも固定端末機であってもよく，いずれも移動端末機であってもよく，いずれか一方のみ移動端末機であってもよい。ところが，現在の取引社会に鑑みると，移動端末機を利用して情報を受信又は転送する場合が多いため，以下では，第１端末機及び第２端末機は移動端末機のものついて説明する。
【００２３】
前記カードベネフィットの提供サーバー(３００)は，前記第１端末機(４００)及び前記第２端末機(５００)と連結され，前記第１カード(１００)所持者に前記第２カード(２００)と連係されたベネフィットを提供する役割をすることができる。前記カードベネフィットの提供サーバー(３００)は，前記第１端末機(４００)から前記第１カード(１００)所持者のカードベネフィットの使用要請を受信し，前記第２端末機(５００)に前記要請内容を転送し，前記第２カード(２００)所持者の同意がある場合，前記第１カード(１００)所持者に前記第２カード(２００)と連係されたベネフィットを使用できるように処理できる。
【００２４】
図２は，本発明の一実施例と関連するカードベネフィットの提供サーバーのブロック構成図である。
【００２５】
図２に示された本発明の一実施例によると，カードベネフィットの提供サーバー(３００)は，データベース(２１０)，受信部(２２０)，転送部(２３０)，制御部(２４０)を含むことができる。
【００２６】
前記データベース(２１０)は，前記第１カード(１００)及び前記第２カード(２００)のカード情報を保存し，各カードと連係されたカードベネフィットの内容などを保存できる。前記カード情報は，カード番号，カード使用者の個人情報(名前，住所，電話番号，住民票コードなど)，カード加入日付，リンクされたカードの枚数，リンクされたカードの番号，カードの使用内訳，付加サービスの利用内訳，前記カード会社から要求した特定の条件を満足しているか否かどを含むことができる。
【００２７】
前記受信部(２２０)は，前記第１端末機(４００)から前記第１カード(１００)所持者の前記第２カード(２００)と連係されたベネフィットの使用要請を受信できる。また，前記受信部(２２０)は，前記ベネフィットの使用要請に対する前記第２カード(２００)所持者の同意の可否に対する回答を前記第２端末機(５００)から受信できる。一方，リンク契約を締結するにあたって，前記受信部(２２０)は，カード所持者の一方のリンク契約の締結要請を受信することもでき，前記リンク契約の締結要請に対する同意の可否内容も受信できる。
【００２８】
前記転送部(２３０)は，各種の情報又は信号を外部に転送することができる。例えば，前記転送部(２３０)は，前記第２端末機(５００)に，前記ベネフィットの使用要請に対する第２カード(２００)所持者の同意の可否を求める内容を転送できる。また，リンク契約の締結過程でリンク契約の締結申請のある場合，その内容を相手方に転送することができ，リンク契約の完了した場合及びリンク契約の締結を相手方が拒絶した場合に，その処理結果を申請者及び相手方の端末機の少なくとも一つに転送することができる。この場合，前記転送部(２３０)は，各種の情報又は信号を文字メッセージ，電子メール(E-mail)，特定のソフトウェアの形などにより，移動端末機などに転送することができる。
【００２９】
前記制御部(２４０)は，前記第２カード(２００)所持者が前記ベネフィットの使用要請に同意した場合，前記第２カード(２００)と連係されたベネフィットを，前記第１カード(１００)に連係して使用できるように処理する。前記制御部(２４０)は，前記第２カード(２００)と連係されたベネフィットを，前記第１カード(１００)に連係して使用できるように処理した場合，前記ベネフィットを前記第２カード(２００)から消滅させることができる。また，前記制御部(２４０)は，前記データベース(２１０)，前記受信部(２２０)及び前記転送部(２３０)を全般的に制御できる。
【００３０】
図３は，本発明の一実施例と関連するリンク(連結)契約の締結過程を説明するためのフローチャートである。
【００３１】
前記リンク契約の締結を申請するために，前記リンク(連結)契約を希望するカード所持者(申請人)は，会員認証を受けることができる(Ｓ３１０)。この場合，前記申請人は有線通信を利用して会員認証を受けてもよく，無線通信を利用して会員認証を受けてもよい。
【００３２】
前記有線通信を利用して会員認証を受ける方法には，前記申請人が前記カード会社のウェブサイトに接続し，公認認定書を利用するかＩＤ／パスワードを入力することにより行われる。
【００３３】
前記無線通信技術を利用して会員認証を受ける方法には，前記申請人が前記カード会社のモバイルウェブに接続し，会員認証を受けるか，ＷＡＰ(wireless application protocol)により会員認証を受ける方法がある。ＷＡＰは，移動通信機器や個人携帯端末機(ＰＤＡ)，無線ターミナルなど，移動型端末機でインターネットに接続できるようにするために考案された通信規約のことをいう。この場合も，前記申請人は公認認証書を利用するかＩＤ／パスワードを入力することにより会員認証を受けることができる。
【００３４】
前記申請人が会員認証を受けた場合，前記申請人はリンクさせたい相手方のカードを選択でき，前記カードベネフィットの提供サーバー(３００)は，相手方のカードの活性化状態を確認できる(Ｓ３２０)。前記申請人はリンクさせたい相手方のカードを複数枚選択することができる。この場合，前記申請人は同一の相手方が所持している複数枚のカードに対しても，リンク契約の締結を申請できる。
【００３５】
従って，家族，友達，職場の仲間など，数人と団体で共に加入し，団体内で互いにベネフィットを共有することも可能であり，この場合，前記カード会社は，マーケティングの観点から団体加入を誘導することができる。
【００３６】
一方，カードの活性化状態とは，カードが正常的に使用されていることを意味する。顧客がカードの発給を取り消したり，使用契約を取り消したり，不在中の場合にはカードが非活性化されているものと見なす。前記申請人がリンク(連結)契約を申請できる相手方のカードは，活性化されているカードに限られる。従って，前記カードベネフィットの提供サーバー(３００)が相手方のカードの活性化状態を確認する段階は必要になる。
【００３７】
前記申請人が活性化されている相手方のカードを選択した場合，前記カードベネフィットの提供サーバー(３００)は，リンク(連結)契約の締結申請を受信できる(Ｓ３３０)。この場合，前記カードベネフィットの提供サーバー(３００)は，前記相手方の端末機にリンク(連結)契約の締結申請があるという内容を通知できる(Ｓ３４０)。この場合，前記カードベネフィットの提供サーバー(３００)は，有／無線通信技術を利用して前記内容を通知できる。無線通信を利用して移動端末機に前記内容を転送する場合，前記カードベネフィットの提供サーバー(３００)は，文字メッセージ，電子メール(E-mail)又は専用のＡｐｐを利用して通知できる。文字メッセージは，ＳＭＳ(Short Message Service)，ＬＭＳ(Long Messaging Service)，ＭＭＳ(Multimedia Messaging Service)を含むことができる。ＳＭＳは４０字未満の短文メッセージをいい，ＬＭＳは１０００字までの長文メッセージをいい，ＭＭＳはカラーメールともいい，写真，音楽，動画ファイルなどを転送するときに使用する。
【００３８】
前記通知を受けた相手方は前記で見たように，前記カード会社のウェブサイトに接続したり，前記カード会社のモバイルウェブに接続したり，ＷＡＰを利用して会員認証を受けることができる(Ｓ３５０)。
【００３９】
前記相手方は，前記申請者が所持したカードとリンク(連結)契約の締結を希望すると，リンク(連結)契約を許諾することができる(Ｓ３６０)。この場合，前記申請者のカードと前記相手方のカードはリンク(連結)されることになる(Ｓ３７０)。 前記カードベネフィットの提供サーバー(３００)は，前記申請人又は前記相手方の端末機にリンク(連結)が完了したことを通知することができる(Ｓ３８０)。
【００４０】
一方，前記相手方が前記申請者のリンク(連結)契約の締結申請に対して拒絶する場合(Ｓ３６０)，前記カードベネフィットの提供サーバー(３００)は，前記申請者又は前記申請者及び前記相手方に，カード間のリンク(連結)契約が締結できなかったという結果を通知することができる(Ｓ３８０)。
【００４１】
前記カードベネフィットの提供サーバー(３００)が前記リンク(連結)が完了したという通知及び前記リンク(連結)契約が締結できなかったという通知をする場合，文字メッセージ(Short Message Service: ＳＭＳ，Long Messaging Service: ＬＭＳ，Multimedia Messaging Service: ＭＭＳ)，電子メール(E-mail)又は専用のＡｐｐ（Application software）を利用して通知できる。
【００４２】
一方，前記リンク(連結)契約は，カード所持者の一人が相手方のカード所持者にリンク(連結)を申請することにより許諾を求める方法の他に，カード所持者達が一緒にカード加入をする際，リンク(連結)契約を締結することに合意することによっても成立できる。この場合，リンク(連結)契約は，オフライン上でも成立できる。
【００４３】
前記リンク(連結)が完了すると，前記申請人のカード及び前記相手方のカードは，互いにリンク(連結)されている前記第１カード(１００)又は前記第２カード(２００)になるのである。後で前記第１カード(１００)所持者が特定のベネフィットに対する使用が必要な場合，有／無線通信を利用して相手方にカードベネフィットの使用を要請できるようになる。前記第１カード(１００)の所持者は，リンク(連結)契約の締結を要請した申請人であってもよく，リンク(連結)契約の締結に同意した相手方であってもよい。特定のベネフィットに対する使用要請及び提供方法は，図４及び図５を参照して後述する。
【００４４】
図４は，本発明の一実施例と関連するカードベネフィットの提供方法を示すフローチャートである。
【００４５】
前記カードベネフィットの提供サーバー(３００)は，前記第１端末機(４００)から前記第１カード(１００)所持者のカードベネフィットの使用要請を受信できる(Ｓ４１０)。 
【００４６】
前記カードベネフィットの提供サーバー(３００)は，有線通信を利用して前記カードベネフィットの使用要請を受信してもよく，無線通信を利用して前記要請を受信してもよい。
【００４７】
前記無線通信を利用する場合，前記第１カード(１００)所持者は，前記カード会社のモバイルウェブに接続して前記要請をしてもよく，ＷＡＰにより前記要請をしてもよい。この場合， ＷＡＰはＷＭＬ(wireless markup language)，ｍＨＴＭＬ(mobile hypertext markup language)などが利用できる。ＷＭＬは，ＷＡＰで作動する無線プロトコルマークアップ(markup)言語であって，小さい画面と制限されたメモリ及びＣＰＵ，狭い帯域幅(band width)を有したＰＤＡなどの無線移動端末機に適合する言語である。ＭＨＴＭＬ(Mobile Hypertext Markup Language)は，ハイパーテキスト生成言語(ＨＴＭＬ)基盤の無線端末機の文書作成用の生成言語であって，マイクロソフト社がＨＴＭＬ(hypertext markup language)環境に合わせて縮小させて構成した方式であって，既存のウェブサイトまで接近することができ，無線応用プロトコル(ＷＡＰ)を支援する。
【００４８】
前記カードベネフィットの提供サーバー(３００)が前記第１端末機(４００)から前記第１カード(１００)所持者のカードベネフィットの使用要請を受信する段階は，前記第１カード(１００)所持者が前記第２カード(２００)を選択する段階及び前記第１カード(１００)所持者が使用しようとするカードベネフィットの種類を選択する段階を含むことができる。これと関連する詳しい内容は，図５を参照して後述する。
【００４９】
前記カードベネフィットの提供サーバー(３００)は，前記第１カード(１００)所持者の前記要請に対して，前記第２端末機(５００)に前記第２カード(２００)所持者の同意の可否を求める内容を転送できる。前記第１カード(１００)及び前記第２カード(２００)は，リンク(連結)されている状態ではあるが，だからといって前記第１カード(１００)の所持者が全てのベネフィットを，前記第２カード(２００)所持者の同意なくむやみに使用できるわけではない。前記第１カード(１００)所持者が前記使用要請をするベネフィットは，前記第２カード(２００)所持者も必要とするベネフィットであり得るためである。従って，前記カードベネフィットの提供サーバー(３００)は，前記第１カード(１００)所持者の前記カードベネフィットの使用要請がある場合，前記第２端末機(５００)にその結果を転送することになる。
【００５０】
前記カードベネフィットの提供サーバー(３００)は，有／無線通信を利用し前記結果を転送することができ，無線通信を利用する場合，文字メッセージＳＭＳ，ＬＭＳ，ＭＭＳ)，電子メール又は専用のＡｐｐなどを利用して転送することができる。
【００５１】
前記第２カード(２００)所持者は，前記カードベネフィットの提供サーバー(３００)から前記第１カード(１００)所持者の前記要請結果を受信した場合，前記要請に対する許諾又は拒否を選択できる(Ｓ４２０)。 前記第２カード(２)所持者は，自分に必要のないベネフィットと思われる場合，前記第１カード(１００)所持者が使用できるように許諾できる。仮に，前記第２カード(２００)所持者も使用が予定されているベネフィットであるか，前記第２カード(２００)とリンク(連結)されているまた別のカードの所持者にベネフィットの使用を許諾した場合などには，前記第２カード(２００)所持者は，前記第１カード(１００)所持者の要請を拒否できる。
【００５２】
前記カードベネフィットの提供サーバー(３００)は，前記第２カード(２００)所持者の前記許諾又は拒否に対する回答を受信できる。この場合，前記カードベネフィットの提供サーバー(３００)は，有／無線通信網を利用できる。無線通信網を利用する場合，前記カードベネフィットの提供サーバー(３００)は，３Ｇ網，４Ｇ網，ＷｉＦｉ(wireless fidelity)によって前記第２端末機(５００)から回答を受信できる。３Ｇは，３世代移動通信でＷＣＤＭＡ(wideband code division multiple access)，ＨＳＤＰＡ(high speed downlink packet access)方式などが代表的であり，使用周波数は２ＧＨｚで全世界が統一されており，自動的に国際ローミングサービスが可能である。４Ｇは，４世代移動通信で３世代と類似しているが，ダウンロード速度が１０倍以上増した技術である。 ＷｉＦｉ(wireless fidelity)は，無線接続装置(AP)が設置された所の一定距離内で超高速インターネットができる近距離通信網(LAN)である。本発明の一実施例において，前記第２端末機(５００)から前記許諾又は拒否に対する回答が３Ｇや４Ｇ網によって前記カードベネフィットの提供サーバー(３００)に受信される場合，前記第２カード(２００)所持者には利用料金が付加され得る。反面，ＷｉＦｉを利用して前記許諾又は拒否に対する回答が受信される場合，前記第２カード(２００)所持者は，別途の費用を負担しなくてもよいというメリットがある。
【００５３】
前記第２カード(２００)所持者が前記要請に対して許諾の回答をした場合，前記カードベネフィットの提供サーバー(３００)は，前記第２カード(２００)と連係されたベネフィットを，前記第１カード(１００)に連係して使用できるように処理できる(Ｓ４３０)。
【００５４】
例えば，前記第１カード(１００)所持者は妻と一緒によく映画を見に行き，前記第２カード(２００)所持者は映画館で映画を見ることが好きではなく，通常，家でＤＶＤ(Digital Versatile Disc)プレーヤーを利用して映画を見たりすると仮定してみる。前記第１カード(１００)所持者が映画館に映画を見に行こうとしているが，自分の前記第１カード(１００)では映画が２千ウォンしか割引できない。従って，前記第１カード(１００)所持者は，前記第１カード(１００)と予めリンクしてあった前記第２カード(２００)の映画割引のベネフィットを利用しようとする。前記第１カード(１００)所持者は，前記カード会社のウェブサイト又はモバイルウェブなどに接続し，前記第２カード(２００)の映画割引のベネフィットに対して使用を要請する。前記カードベネフィットの提供サーバー(３００)は，前記要請内容を前記第２カード(２００)所持者に文字メッセージなどで通知する。文字メッセージなどを受けた前記第２カード(２００)所持者は，映画館に行くことが好きではなく，映画割引のベネフィットを頻繁に使用しないため，前記第１カード(１００)所持者に前記ベネフィットの使用を許諾する。前記第２カード(２００)所持者の許諾意思を受信した前記カードベネフィットの提供サーバー(３００)は，前記第１カード(１００)に連係して前記第１カード(１００)所持者が前記第２カード(２００)の映画２千ウォンの割引ベネフィットを使用できるように処理する。従って，前記第１カード(１００)所持者は，前記第１カード(１００)の映画２千ウォンの割引ベネフィットと前記第２カード(２００)の映画２千ウォンの割引ベネフィットを合わせて，４千ウォンの割引された金額で映画を見ることができるようになる。
【００５５】
また，前記第１カード(１００)とリンクされているカードは複数枚が存在し得るため，前記第１カード(１００)所持者が複数枚の前記第２カード(２００)，例えば，リンクされているＡカード，Ｂカード，Ｃカードに対してカードベネフィットの使用を要請する場合，前記第１カード(１００)所持者は，前記第１カード(１００)のベネフィットと前記Ａカード，前記Ｂカード，前記Ｃカードのベネフィットを合わせて同時に使用できるようになる。もし，前述のように，前記ベネフィットが映画割引のベネフィットであれば，前記第１カード(１００)所持者は２千ウォンずつ総額８千ウォンの映画割引を受けることができるようになる。
【００５６】
このように，前記第１カード(１００)所持者がリンク(連結)されたカードのベネフィットを使用する場合，自分が頻繁に使用して不足になったベネフィットを他人から譲受することができ，第１カード(１００)所持者に非常に有益である。また，ほとんどのカードベネフィットは月基準で提供される場合が多く，使用しないと消滅してしまう。ところが，自分が頻繁に使用しないベネフィットに対して他人に譲渡することができるため，顧客はベネフィットを使用しないことによって受けるようになる損害を減らすことができる。
【００５７】
前記カードベネフィットの提供サーバー(３００)が，前記第２カード(２００)と連係されたベネフィットを，前記第１カード(１００)に連係して使用できるように処理した場合，前記カードベネフィットの提供サーバー(３００)は，前記第２カード(２００)から前記ベネフィットを消滅させることができる。前記第２カード(２００)所持者は，前記第１カード(１００)所持者に前記ベネフィットを利用できるように許諾したため，前記第２カード(２００)所持者本人は，前記ベネフィットを使用できないようにすることが，カード会社の立場で然るべきものであるためである。
【００５８】
ところが，常に前記第２カード(２００)から前記ベネフィットが消滅するわけではない。前記ベネフィットがいかなる種類かによって，前記第１カード(１００)所持者が前記ベネフィットを使用するように処理されても，前記第２カード(２００)に前記ベネフィットが残っている場合もあり得る。
【００５９】
前記第２カード(２００)所持者が前記第１カード(１００)所持者の要請に許諾又は拒否する場合，前記カードベネフィットの提供サーバー(３００)は，その処理情報を前記第１端末機(４００)及び第２端末機(５００)の少なくとも1つに転送できる(Ｓ４４０)。前記処理情報を転送する場合，前記カードベネフィットの提供サーバー(３００)は，有／無線通信技術を利用して前記内容を通知できる。無線通信を利用して移動端末機に前記内容を転送する場合，前記カードベネフィットの提供サーバー(３００)は，文字メッセージ，電子メール(E-mail)又は専用のＡｐｐを利用して通知できる。
【００６０】
この場合，前記第１カード(１００)所持者及び前記第２カード(２００)所持者は，処理情報が分かることができ便利である。また，前記第１カード(１００)所持者が，前記第２カード(２００)の種類や前記カードベネフィットの種類を間違って選択した場合，又は前記第２カード(２００)所持者が許諾／拒否の選択を間違った場合，前記カードベネフィットの提供サーバー(３００)は，前記第１カード(１００)所持者の前記第２カード(２００)のベネフィット使用を取り消すことができるように処理できる。
【００６１】
一方，本発明の一実施例において，前記カードベネフィットの使用方法は，前記カードベネフィットの提供サーバー(３００)が要求する特定の条件を満たす場合にのみ，前記カードベネフィットの提供サーバー(３００)が，前記ベネフィットを前記第１カード(１００)に連係して使用できるように処理することを含むことができる。
【００６２】
本発明の一実施例と関連して，前記第２カード(２００)に連係されたベネフィットは，前記カードベネフィットの提供サーバー(３００)が要求する特定の条件を満たす場合にのみ，前記第１カード(１００)に連係して使用できるように処理されることを特徴とすることができる。この場合，前記第１カード(１００)又は前記第２カード(２００)のいずれか一つのカードにのみ特定の条件が付加されることもでき，前記第１カード(１００)及び前記第２カード(２００)ともに特定の条件が付加されることもある。
【００６３】
例えば，リンクされている前記第１カード(１００)及び前記第２カード(２００)が，それぞれ毎月最小３０万ウォン以上を使用する場合に限って，前記第１カード(１００)所持者は，前記第２カード(２００)のベネフィットを，前記第１カード(１００)に連係して使用できると特定の条件を付加できる。
【００６４】
また，この場合，全てのベネフィットに対して同一条件を付加することもできるが，それぞれのベネフィット毎に特定の条件を付加することも可能である。仮に，テーマパーク割引のベネフィットの場合，毎月最小３０万ウォン以上を使用したカード所持者に限って，前記第２カード(２００)所持者に対する前記ベネフィットの使用要請が可能であるが，飲食店割引のベネフィットの場合，カードの使用額に関係なく前記第１カード(１００)所持者が，前記ベネフィットの使用要請ができるようにしてもよい。
【００６５】
このように，前記カードベネフィットの提供サーバー(３００)が前記カード会社に有利に特定の条件を付加する場合，前記第１カード(１００)及び前記第２カード(２００)所持者達は，前記ベネフィットに対する使用を要請するために，カードの使用頻度を高めるようになり，本人のメインカードとして使用することもできる。これによって，前記カード会社は収益率が増加する効果を得ることができる。
【００６６】
本発明の一実施例において，前記第２カード(２００)に連係されたベネフィットは，有効期間が定められる。従って，有効期間が過ぎると前記ベネフィットは消滅し，前記ベネフィットが消滅した後は，前記第１カード(１００)所持者は，前記ベネフィットに対する使用を要請できない場合もある。
【００６７】
また，他の実施例においては，前記第１カード(１００)所持者が前記ベネフィットの使用を要請するとき，前記カードベネフィットの提供サーバー(３００)は，前記第１カード(１００)所持者に選択されたベネフィットの使用期間を決めるようにしてもよい。前記第１カード(１００)所持者が決めた使用期間を過ぎた場合，前記カードベネフィットの提供サーバー(３００)は，前記第１カード(１００)所持者が前記ベネフィットに対して使用できないようにすることができる。この場合，前記ベネフィットは，前記第１カード(１００)所持者の帰責事由によって使用できなくなったものであるため，前記カードベネフィットの提供サーバー(３００)は，前記ベネフィットを，前記第２カード(２００)に返還して前記第２カード(２００)所持者が使用できるようにすることもできる。一方，前記ベネフィットは，前記第２カード(２００)から消滅したまま維持され，前記第１カード(１００)及び第２カード(２００)所持者共に使用できなくなる場合もある。
【００６８】
本発明の一実施例と関連して，前記カードベネフィットの提供サーバー(３００)が，前記第１端末機(４００)からカードベネフィットの使用要請を受信した場合，前記カードベネフィットの提供サーバー(３００)は，前記第１カード(１００)と前記第２カード(２００) との間に，リンク(連結)契約が成立しているか否かを確認できる。この場合，前記カードベネフィットの提供サーバー(３００)は，前記データベース(２１０)に保存されている前記第１カード(１００)及び前記第２カード(２００)のカード情報を利用してリンク(連結)されたカードであるか否かを確認できる。
【００６９】
また別の実施例であって，前記カードベネフィットの提供サーバー(３００)が，前記第１カード(１００)所持者の前記カードベネフィットの使用要請に対して前記第２端末機(５００)に前記第２カード(２００)所持者の同意の可否を求める場合において，前記カードベネフィットの提供サーバー(３００)は，前記第２端末機(５００)から前記第１カード(１００)と前記第２カード(２００)とのリンク契約が締結されているか否かを確認してもらうこともできる。
【００７０】
前記第１カード(１００)の所持者がカードベネフィットの使用を要請するためには，前記第１カード(１００)と前記第２カード(２００)との間に，リンク(連結)契約が締結されているということが前提されなければならないため，前記第１カード(１００)と前記第２カード(２００)とがリンク(連結)されたカードであるか否かを確認する段階は重要である。
【００７１】
図５は，図４の特定段階の一例を示す図面である。
【００７２】
図５に示されたところによると，前記カードベネフィットの提供サーバー(３００)が，前記第１端末機(４００)から前記第１カード(１００)所持者のカードベネフィットの使用要請を受信する段階は，前記第１カード(１００)所持者が前記第２カード(２００)を特定する段階及び前記第１カード(１００)所持者が使用しようとするカードベネフィットの種類を選択する段階を含むことができる。
【００７３】
まず，前記第１カード(１００)所持者は，前記第２カード(２００)を特定するために前記第２カード(２００)のいずれかを選択できる。以上で見たように，前記第１カード(１００)とリンク(連結)されたカードは複数枚が存在できる。従って，前記第１カード(１００)所持者は，使用しようとするベネフィットを含んでいる複数枚の前記第２カード(２００)の中から一つを選択できる。この場合，カードベネフィットの提供サーバー(３００)は，前記第１カード(１００)所持者が前記第２カード(２００)を特定できるように，リンクされている複数枚の前記第２カード(２００)を見せ，その中から一つを選択できる第２カードの選択ウィンドウ (５１０)を提供できる。
【００７４】
前記第１カード(１００)所持者が前記第２カード(２００)を選択した後は，前記第１カード(１００)所持者は，前記第２カード(２００)に含まれているベネフィットの中から使用しようとする特定のベネフィット一つを選択できる。この場合，カードベネフィットの提供サーバー(３００)は，前記第１カード(１００)所持者に前記第２カード(２００)と連係されたベネフィットの全部を表示することができ，使用可能なベネフィットと使用不可能なベネフィットが区別されるカードベネフィットの選択ウィンドウ(５２０)を提供できる。このように，カードベネフィットの提供サーバー(３００)が，多様なベネフィットの中から一つのベネフィットを選択できるウィンドウ(５００)を提供する場合，前記第１カード(１００)所持者は，前記第２カード(２００)と連係されたベネフィットを一目で見ることができるため，前記第１カード(１００)所持者の便宜が図れる。
【００７５】
一方，前記第１カード(１００)所持者が簡単に前記第２カード(２００)の種類及び使用しようとするベネフィットを記載することにより，カードベネフィットの使用を要請することも可能である。
【００７６】
本発明の一実施例と関連して，使用不可能なベネフィットは，カードに付加された特定の条件を満たさないことにより使用できなくなったベネフィットであり得る。また，前記使用不可能なベネフィットは，前記第２カード(２００)所持者が既に使用したベネフィットであるため，前記第１カード(１００)所持者が使用できなくなっているベネフィットである場合もある。前記第１カード(１００)所持者は，使用不可能なベネフィットは選択できない。
【００７７】
図５を参照して，本発明の一実施例を説明する。仮に，前記第１カード(１００)所持者が友達とロッテワールド(登録商標)に行くことにしたが，前記第１カード(１００)だけでは前記第１カード(１００)所持者のみフリーパスの５０％割引のベネフィットが適用できるため，前記第１カード(１００)所持者は，前記第２カード(２００)のフリーパス割引のベネフィットの使用を望む場合を仮定してみよう。前記第１カード(１００)所持者が前記カードベネフィットの提供サーバー(３００)に前記ベネフィットの使用を要請する場合，まずカードベネフィットの提供サーバー(３００)は，リンク契約が締結されている複数枚の前記第２カード(２００)の中から一つを選択できる前記第２カードの選択ウィンドウ(５１０)を提供する。前記第１カード(１００)所持者は，ロッテワールドのフリーパス割引のベネフィットを含んでいる前記第２カード(２００)の中から一つを選択することになる。仮に，前記第１カード(１００)所持者が前記第２カード(２００)の中からＢカードを選択したと仮定してみる。前記カードベネフィットの提供サーバー(３００)は，前記Ｂカードと連係されている多様なベネフィットを見せ，前記Ｂカードのベネフィットの中から一つを選択できるようにする前記カードベネフィットの選択ウィンドウ(５２０)を提供する。前記ベネフィットには，テーマパーク割引，映画館割引，飲食店割引，ガソリンスタンド割引などがあり得るが，使用可能なベネフィットと使用不可能なベネフィットが前記カードベネフィットの選択ウィンドウ(５２０)にともに表示できる。前記第１カード(１００)所持者は，使用可能なベネフィットの中から選択できる。前記第１カード(１００)所持者は，前記Ｂカード(２００)のベネフィットの中からロッテワールド割引に対するベネフィットを選択できる。このように前記第１カード(１００)所持者は，前記Ｂカードと前記ロッテワールド割引のベネフィットを選択して，前記カードベネフィットの提供サーバー(３００)にカードベネフィットの使用を申請することになる。前記Ｂカード所持者がカードベネフィットの使用申請に同意してくれると，前記第１カード(１００)所持者は，前記第１カード(１００)に前記Ｂカードのロッテワールド割引のベネフィットを連係して使用できるようになる。従って，前記第１カード(１００)所持者のみではなく，その友達も５０％を割引されてフリーパスを購買できるようになる。
【００７８】
前記で説明された本発明の一実施例と関連するカードベネフィットの提供方法は，多様なコンピュータ手段によって遂行できるプログラム命令の形で具現され，コンピュータで判読可能な記録媒体に記録できる。この際，コンピュータで判読可能な記録媒体は，プログラム命令，データファイル，データ構造などを単独で或いは組み合わせて含むことができる。一方，記録媒体に記録されるプログラム命令は，本発明のために特別に設計されて構成されたものであってもよく，コンピュータソフトウェアの当業者に公知されており使用可能なものであってもよい。
【００７９】
コンピュータで判読可能な記録媒体には，ハードディスク，フロッピーディスク及び磁気テープのような磁気媒体(Magnetic Media)，ＣＤ-ＲОＭ，ＤＶＤのような光記録媒体(Optical Media)，フロプティカルディスク(Floptical Disk)のような磁気-光媒体(Magneto-Optical Media)，及びロム(ROM)，ラム(RAM)，フラッシュメモリなどのようなプログラム命令を保存し，遂行するように特別に構成されたハードウェア装置が含まれる。一方，このような記録媒体はプログラム命令，データ構造などを指定する信号を転送する搬送波を含む光又は金属線，導波管などの転送媒体であってもよい。
【００８０】
また，プログラム命令にはコンパイラーによって作られるような機械語コードだけでなく，インタープリターなどを使用してコンピュータによって実行できる高級言語コードを含む。前述したハードウェア装置は，本発明の動作を遂行するために一つ以上のソフトウェアモジュールとして作動するように構成でき，その逆も同様である。
【００８１】
本発明の属する技術分野の当業者は，前述した本発明がその技術的思想や必須的特徴を変更することなく，他の具体的な形態で実施できるということが理解できる。
【００８２】
そのため，以上で記述した実施例は全ての面から例示的なものであり，限定的なものではないものとして理解すべきである。本発明の範囲は，前記詳細な説明よりは後述する特許請求範囲により表わされ，特許請求範囲の意味及び範囲，そしてその等価概念から導出される全ての変更又は変形された形態が，本発明の範囲に含まれるものとして解釈されなければならない。
【図１】
0005875994.tif 000002
【図２】
0005875994.tif 000003
【図３】
0005875994.tif 000004
【図４】
0005875994.tif 000005
【図５】
0005875994.tif 000006